(57)【要約】      （修正有）【課題】携帯通信機のザッピング操作によって、ユーザの嗜好に応じた複数のＡＶコンテンツを切り替えながら順次、テレビに表示させることを可能にする携帯通信機を提供する。【解決手段】テレビを操作可能な携帯通信機であって、ユーザの嗜好に応じた複数のＡＶコンテンツを特定する特定部又は該ＡＶコンテンツを示す情報を取得する取得部と、所定操作を受け付ける操作部と、該操作部にて前記所定操作を受け付けた場合、前記特定部にて特定された各ＡＶコンテンツ又は前記取得部にて取得した情報が示す各ＡＶコンテンツを前記テレビに選択させるためのコンテンツ選択信号を順次、前記テレビへ送信する無線通信部とを備える。【選択図】図２
2017060062.tif 000002
【特許請求の範囲】
【請求項１】
操作部と、該操作部に対する操作に応じた信号を、テレビへ送信する無線通信部とを備える携帯通信機に、
ユーザの嗜好に応じた複数のＡＶコンテンツを示す情報を取得し、
前記操作部に対する所定操作を受け付け、
該所定操作を受け付けた場合、取得した情報が示す各ＡＶコンテンツを前記テレビに選択させるための複数のコンテンツ選択信号を前記無線通信部にて順次、前記テレビへ送信する
処理を実行させるプログラム。
【請求項２】
前記所定操作はタップ操作を含み、
前記携帯通信機に、
前記タップ操作を受け付ける都度、前記コンテンツ選択信号を前記無線通信部にて前記テレビへ送信する
処理を実行させる請求項１に記載のプログラム。
【請求項３】
前記所定操作はフリック操作又はスワイプ操作を含み、
前記携帯通信機に、
受け付けた前記フリック操作又はスワイプ操作に応じた前記コンテンツ選択信号を前記無線通信部にて前記テレビへ送信する
処理を実行させる請求項１又は請求項２に記載のプログラム。
【請求項４】
前記所定操作は長押し操作を含み、
前記携帯通信機に、
前記長押し操作を受け付けている間、前記複数のコンテンツ選択信号を前記無線通信部にて順次、前記テレビへ送信する
処理を実行させる請求項１乃至請求項３のいずれか一つに記載のプログラム。
【請求項５】
テレビを操作可能な携帯通信機であって、
ユーザの嗜好に応じた複数のＡＶコンテンツを示す情報を取得する取得部と、
所定操作を受け付ける操作部と、
該操作部にて前記所定操作を受け付けた場合、前記取得部にて取得した情報が示す各ＡＶコンテンツを前記テレビに選択させるためのコンテンツ選択信号を順次、前記テレビへ送信する無線通信部と
を備える携帯通信機。
【請求項６】
操作部と、該操作部に対する操作に応じた信号を、テレビへ送信する無線通信部とを備える携帯通信機が、
ユーザの嗜好に応じた複数のＡＶコンテンツを示す情報を取得し、
前記操作部に対する所定操作を受け付け、
該操作部にて前記所定操作を受け付けた場合、取得した情報が示す各ＡＶコンテンツ又は取得した情報が示す各ＡＶコンテンツを前記テレビに選択させるためのコンテンツ選択信号を前記無線通信部にて順次、前記テレビへ送信する
テレビ操作方法。
【発明の詳細な説明】
【技術分野】
【０００１】
本発明は、携帯通信機を用いてテレビを操作するためのプログラム、携帯通信機及びテレビ操作方法に関する。
【背景技術】
【０００２】
特許文献１には、ユーザが所望する番組を容易に選択することが可能な表示装置が開示されている。特許文献１に係る表示装置は、ユーザの指示を受け付ける指示取得部と、現在放送されている番組、放送予定の番組、および録画済みの番組の中から、ユーザに対する推奨番組をリモコンが備える複数のカラーキーに対応付けて抽出する番組抽出部と、チャンネルを切り替える旨の指示を受け付けたとき、抽出した推奨番組を示す情報を表示する表示部とを備える。
特許文献１においては、ユーザが所望する推奨番組に対応するカラーキーを操作することによって、該推奨番組を選局し、表示装置に表示させることができる。
【先行技術文献】
【特許文献】
【０００３】
【特許文献１】特開２０１４−７２５８４号公報
【発明の概要】
【発明が解決しようとする課題】
【０００４】
しかしながら、特許文献１に係る表示装置においては、複数の各推奨番組を少しずつ視聴して、所望の番組を表示装置に表示させることができない。
【０００５】
本願発明の目的は、ユーザの嗜好に応じた複数のＡＶコンテンツを切り替えながら順次、テレビに表示させることを可能にするプログラム、携帯通信機及びテレビ操作方法を提供することにある。
【課題を解決するための手段】
【０００６】
本発明に係るプログラムは、操作部と、該操作部に対する操作に応じた信号を、テレビへ送信する無線通信部とを備える携帯通信機に、ユーザの嗜好に応じた複数のＡＶコンテンツを示す情報を取得し、前記操作部に対する所定操作を受け付け、該所定操作を受け付けた場合、取得した情報が示す各ＡＶコンテンツを前記テレビに選択させるための複数のコンテンツ選択信号を前記無線通信部にて順次、前記テレビへ送信する処理を実行させる。
【０００７】
本発明に係る携帯通信機は、テレビを操作可能な携帯通信機であって、ユーザの嗜好に応じた複数のＡＶコンテンツを示す情報を取得する取得部と、所定操作を受け付ける操作部と、該操作部にて前記所定操作を受け付けた場合、前記取得部にて取得した情報が示す各ＡＶコンテンツを前記テレビに選択させるためのコンテンツ選択信号を順次、前記テレビへ送信する無線通信部とを備える。
【０００８】
本発明に係るテレビ操作方法は、操作部と、該操作部に対する操作に応じた信号を、テレビへ送信する無線通信部とを備える携帯通信機が、ユーザの嗜好に応じた複数のＡＶコンテンツを示す情報を取得し、前記操作部に対する所定操作を受け付け、該操作部にて前記所定操作を受け付けた場合、取得した情報が示す各ＡＶコンテンツ又は取得した情報が示す各ＡＶコンテンツを前記テレビに選択させるためのコンテンツ選択信号を前記無線通信部にて順次、前記テレビへ送信する。
【発明の効果】
【０００９】
本発明にあっては、ユーザの嗜好に応じた複数のＡＶコンテンツを切り替えながら順次、テレビに表示させることができる。
【図面の簡単な説明】
【００１０】
【図１】本発明の一実施形態に係るＡＶ機器システムの構成例を示す概念図である。
【図２】本発明の一実施形態に係る携帯通信機の構成例を示すブロック図である。
【図３】本発明の一実施形態に係る推奨コンテンツ情報提供装置の構成例を示すブロック図である。
【図４】本発明の一実施形態に係るユーザ情報ＤＢの一例を示す概念図である。
【図５】本発明の一実施形態に係るユーザ情報の登録に係る処理手順を示すフローチャートである。
【図６】本発明の一実施形態に係る推奨コンテンツのプッシュ通知及びＡＶ機器操作に係る処理手順を示すフローチャートである。
【図７】本発明の一実施形態に係る推奨コンテンツのプッシュ通知及びＡＶ機器操作に係る処理手順を示すフローチャートである。
【図８】本発明の一実施形態に係るプッシュ通知画面の一例を示す模式図である。
【図９】本発明の一実施形態に係る推奨コンテンツのサムネイル一覧表示及びザッピングに係る処理手順を示すフローチャートである。
【図１０】本発明の一実施形態に係る推奨コンテンツのサムネイル一覧表示及びザッピングに係る処理手順を示すフローチャートである。
【図１１】本発明の一実施形態に係る推奨コンテンツのサムネイル一覧表示及びザッピングに係る処理手順を示すフローチャートである。
【図１２】本発明の一実施形態に係るサムネイル一覧表示操作及びサムネイル一覧表示画面の一例を示す模式図である。
【図１３】本発明の一実施形態に係る視聴コンテンツに関するコメント表示画面の一例を示す模式図である。
【図１４】本発明の一実施形態に係るテレビ選択の処理手順を示すフローチャートである。
【図１５Ａ】本発明の一実施形態に係るテレビの選択操作及びテレビ選択画面の一例を示す模式図である。
【図１５Ｂ】本発明の一実施形態に係るテレビの選択操作及びテレビ選択画面の一例を示す模式図である。
【図１５Ｃ】本発明の一実施形態に係るテレビの選択操作及びテレビ選択画面の一例を示す模式図である。
【図１６】本発明の一実施形態に係るユーザＩＤの切り替え処理手順を示すフローチャートである。
【図１７】本発明の一実施形態に係るユーザＩＤの変更操作の一例を示す模式図である。
【図１８】本発明の一実施形態に係る複数ユーザの嗜好に基づく推奨コンテンツの特定処理手順を示すフローチャートである。
【図１９】本発明の一実施形態に係るユーザ情報ＤＢの一例を示す概念図である。
【図２０】本発明の一実施形態に係るユーザの位置情報に基づく推奨コンテンツの特定処理手順を示すフローチャートである。
【発明を実施するための形態】
【００１１】
以下、本発明をその実施の形態を示す図面に基づいて詳述する。
（実施形態１）
図１は、本発明の実施形態１に係るＡＶ機器システムの構成例を示す概念図である。ＡＶ機器システムは、ユーザが所持する携帯通信機１と、ＡＶネットワーク２と、推奨コンテンツ情報提供装置３とを備える。
【００１２】
＜ＡＶネットワークの構成＞
ＡＶネットワーク２は、例えば、宅内に配されたＬＡＮケーブルにＡＶ機器２１を接続してなるホームネットワークである。ＡＶ機器２１は、例えばＬＡＮケーブル２ａに接続されたテレビ２１ａ、録画機器２１ｂ、ＮＡＳ（Network Attached Storage）２１ｃ等である。ＬＡＮケーブル２ａに接続されたＡＶ機器２１は、所定の通信プロトコル、例えばＤＬＮＡ（Digital Living Network Alliance）ガイドラインに準拠した通信プロトコルに従って、ＡＶコンテンツ、各ＡＶ機器２１を制御するための信号、その他の各種情報を送受信する。ＬＡＮケーブル２ａは無線ＬＡＮルータ２０に接続されており、ＡＶ機器２１は無線ＬＡＮルータ２０を介して外部の通信網Ｎに接続されている。また、無線ＬＡＮルータ２０は、例えばＩＥＥＥ８０２．１１規格、ＷｉＦｉ規格に準拠した無線通信を行うことができ、携帯通信機１及びＡＶ機器２１を無線接続することができる。
なお、ＡＶ機器２１を有線接続してなるＡＶネットワーク２を説明したが、言うまでもなく、各ＡＶ機器２１を無線ＬＡＮルータ２０にて無線接続するように構成しても良いし、有線接続および無線接続を混在させても良い。また、ＤＬＮＡガイドラインに係る通信プロトコルは一例であり、これに限定されるものでは無い。
【００１３】
テレビ２１ａは、例えば図示しないチューナ、ＬＡＮ通信部、信号処理部、表示パネル、音声出力部等を備える。チューナは、例えばデジタルチューナである。チューナには、放送局Ａから送信されたＡＶコンテンツ、具体的には放送番組に係る信号を受信するアンテナが接続されており、アンテナにて受信した特定チャンネルの信号を選択する。放送番組はＡＶコンテンツの一例である。チューナは、復調回路を内蔵しており、選択された信号を復調する。例えば、上記信号は、ＯＦＤＭ（Orthogonal Frequency Division Multiplexing）方式で変調されており、復調回路は、上記信号を、ＭＰＥＧ２ＴＳ（Transport Stream）形式のストリームデータに復調する。信号処理部は、該ストリームデータを映像データ、音声データ等に分離及び復号する等の信号処理を行い、映像データ及び音声データを表示パネル及び音声出力部へ出力することによって、放送番組を表示する。
また、テレビ２１ａは、ＡＶネットワーク２においてＤＭＰ（digital media players）、ＤＭＲ（Digital Media Renderer）等として機能し、録画機器２１ｂ又はＮＡＳ２１ｃに記録されたＡＶコンテンツを表示することができる。具体的には、テレビ２１ａは、録画機器２１ｂ又はＮＡＳ２１ｃから送信されたＡＶコンテンツをＬＡＮ通信部にて受信し、信号処理部は受信したＡＶコンテンツに基づいて、映像データ及び音声データを表示パネル及び音声出力部へ出力する。
更に、テレビ２１ａは、通信網Ｎに接続された外部のウェブサーバ４にアクセスし、該ウェブサーバ４に格納されているＡＶコンテンツを取得し、取得したＡＶコンテンツを再生する機能を有する。
なお、テレビ２１ａは、必ずしも据置型のブラウン管テレビ、液晶テレビ、プラズマテレビ、有機ＥＬテレビ等に限定されるものでは無く、放送番組を受像可能なプロジェクター、パーソナルコンピュータ等も含まれる。
【００１４】
録画機器２１ｂは、放送局Ａから送信されたＡＶコンテンツに係る信号を受信するチューナ、ハードディスク等の記憶装置、各種ＡＶ機器２１との間でＡＶコンテンツを送受信するＬＡＮ通信部、録画再生処理部を備える。録画再生処理部は、テレビ２１ａ若しくは自機のチューナ、又は外部接続されたセットトップボックスにて受信して得たＡＶコンテンツ、具体的には放送番組を上記記憶装置に記憶させることによって、ＡＶコンテンツを録画する。また、録画機器２１ｂは、ＡＶネットワーク２においてＤＭＳ（Digital Media Server）として機能する。録画再生処理部は、記憶装置が記憶するＡＶコンテンツを読み出してテレビ２１ａ等へ出力することによってＡＶコンテンツを再生することができる。
【００１５】
ＮＡＳ２１ｃは、ＡＶネットワーク２に接続された各種ＡＶ機器２１との間でＡＶコンテンツを送受信するＬＡＮ通信部、各種ＡＶコンテンツを記憶する記憶装置及び処理部を備える。ＮＡＳ２１ｃは、ＡＶネットワーク２においてＤＭＳとして機能する。ＮＡＳ２１ｃの処理部は、ＬＡＮ通信部を介して受信したＡＶコンテンツを記憶装置に記憶する。また、処理部は、外部のＡＶ機器２１からの要求に応じて記憶装置からＡＶコンテンツを読み出し、読み出したＡＶコンテンツを、ＬＡＮ通信部を介してテレビ２１ａ等のＡＶ機器２１へ送信する。ＮＡＳ２１ｃが記憶するＡＶコンテンツには、放送局Ａから放送された放送番組のみならず、ユーザによって作成された動画、その他の任意の動画が含まれる。
【００１６】
＜携帯通信機の構成＞
図２は、本発明の実施形態１に係る携帯通信機１の構成例を示すブロック図である。携帯端末機は、例えばスマートフォン、携帯電話、タブレット端末、ＰＤＡ（Personal Digital Assistant）等の可搬型の無線通信装置であり、ＡＶネットワーク２においてＭ−ＤＭＣ（Mobile Digital Media Controller）として機能する。携帯端末機は、該携帯端末機の各構成部の動作を制御する制御部１０を備える。
【００１７】
制御部１０は、ＣＰＵ（Central Processing Unit）、ＧＰＵ（Graphics Processing Unit）、ＲＯＭ（Read Only Memory）、ＲＡＭ（Random Access Memory）、入出力インタフェース等を有するマイクロコンピュータである。制御部１０の入出力インタフェースには、記憶部１１、回線通信部１２、無線通信部１３、位置検出部１４、撮像部１５、表示部１６、操作部１７、スピーカ１８及びマイク１９等が接続されている。
ＲＯＭはコンピュータの初期動作に必要な初期動作プログラムを記憶している。ＲＡＭは、ＤＲＡＭ（Dynamic RAM）、ＳＲＡＭ（Static RAM）等のメモリであり、制御部１０の演算処理を実行する際に記憶部１１から読み出された後述のプログラム５０、又は制御部１０の演算処理によって生ずる各種データを一時記憶する。ＣＰＵはプログラム５０を実行することにより、各構成部の動作を制御し、ユーザの嗜好に応じたＡＶコンテンツの通知、サムネイル一覧表示、ザッピング等、ＡＶ機器２１の操作に係る処理を実行する。
【００１８】
記憶部１１は、ＥＥＰＲＯＭ（Electrically Erasable Programmable ROM）、フラッシュメモリ等の不揮発性メモリであり、本実施形態に係るＡＶ機器操作の処理に必要なプログラム５０を記憶している。また、ＡＶネットワーク２上の各ＡＶ機器２１を操作するための各種コマンドを記憶している。なお、代表的なＡＶ機器２１のコマンドを予め記憶しておいても良いし、適宜ＡＶ機器２１から取得しても良いし、外部のサーバから取得しても良い。
【００１９】
本実施形態１に係るプログラム５０は、記録媒体５にコンピュータ読み取り可能に記録されている態様でも良い。記憶部１１は、図示しない読出装置によって記録媒体５から読み出されたプログラム５０を記憶する。記録媒体５はフラッシュメモリ等の半導体メモリである。また、記録媒体５はＣＤ（Compact Disc）−ＲＯＭ、ＤＶＤ（Digital Versatile Disc）−ＲＯＭ、ＢＤ（Blu-ray（登録商標） Disc）等の光ディスクでも良い。更に、記録媒体５は、フレキシブルディスク、ハードディスク等の磁気ディスク、磁気光ディスク等であっても良い。更にまた、通信網Ｎに接続されている図示しない外部コンピュータから本実施形態１に係るプログラム５０をダウンロードし、記憶部１１に記憶させても良い。
【００２０】
回線通信部１２は、基地局を介して他の携帯通信機１、通信網Ｎに接続された外部の通信装置等との間で各種情報を送受信するための通信機であり、携帯送信部１２ａ及び携帯受信部１２ｂを有する。回線通信部１２は、例えば、３Ｇ（Generation）回線、４Ｇ回線、ＬＴＥ（Long Term Evolution）回線等を用いて、通話音声及び各種データの送受信を行う。無線通信部１３は、外部の通信装置との間で各種情報を送受信する通信機であり、例えばＩＥＥＥ８０２．１１規格、ＷｉＦｉ規格に準拠した無線通信を行う。具体的には、無線通信部１３は、無線ＬＡＮルータ２０を介してＡＶ機器２１と無線通信を行う。位置検出部１４は、ＧＰＳ（Global Positioning System）受信機を備える。ＧＰＳ受信機は、ＧＰＳ衛星と共にＧＰＳシステムを構成しており、人工衛星からの電波を受信し、自機の位置を検出する。撮像部１５は、レンズと、該レンズにて結像した像を電気信号に変換するＣＣＤ、ＣＭＯＳ等の撮像素子と、撮像素子にて変換された電気信号をデジタルの画像データにＡＤ変換し、ＡＤ変換された画像データに各種画像処理を施す画像処理部とを備える。撮像部１５は、撮像して得た画像データを制御部１０に与える。表示部１６は、液晶パネル、有機ＥＬディスプレイ、電子ペーパ、プラズマディスプレイ等である。表示部１６は、制御部１０から与えられた画像データに応じた各種情報を表示する。
操作部１７は、例えば表示部１６の表面又は内部に設けられたタッチセンサ、機械式操作ボタン等である。タッチセンサは、ユーザの指が表示部１６に触れたこと、指が触れた位置等を検出することにより、ユーザの操作を受け付け、受け付けた操作情報を制御部１０に与える。つまり、制御部１０は操作部１７にてユーザの操作を受け付けることができる。具体的には、制御部１０は、操作部２１にてタップ操作、フリック操作、スワイプ操作等を受け付けることができる。
【００２１】
＜推奨コンテンツ情報提供装置の構成＞
図３は、推奨コンテンツ情報提供装置３の構成例を示すブロック図である。推奨コンテンツ情報提供装置３は、例えば、該推奨コンテンツ情報提供装置３の各構成部の動作を制御するＣＰＵ等のサーバ制御部３０を備えたコンピュータである。サーバ制御部３０には、バスを介して、一時記憶部３１、通信部３２、記憶部３３及びコンテンツ検索部３４が接続されている。
【００２２】
一時記憶部３１は、ＤＲＡＭ、ＳＲＡＭ等のメモリであり、サーバ制御部３０の演算処理を実行する際に記憶部３３から読み出された図示しないサーバ制御プログラム、又はサーバ制御部３０の演算処理によって生ずる各種データを一時記憶する。
【００２３】
通信部３２は、通信網Ｎを介して、携帯通信機１及び任意のウェブサーバ４との間で各種情報を送受信するための通信機であり、送信部３２ａ及び受信部３２ｂを有する。通信部３２による各種情報の送受信はサーバ制御部３０によって制御される。
【００２４】
記憶部３３は、ハードディスク、ＥＥＰＲＯＭ等の不揮発性メモリであり、ユーザの嗜好に応じたＡＶコンテンツを特定し、特定されたＡＶコンテンツを示すコンテンツ推奨情報を該ユーザの携帯通信機１へ送信する処理に必要なサーバ制御プログラムを記憶している。サーバ制御プログラムは、図示しない記録媒体にコンピュータ読み取り可能に記録されている態様でも良い。記憶部３３は、図示しない読出装置によって記録媒体から読み出されたサーバ制御プログラムを記憶する。また、記憶部３３は、ユーザの嗜好に係る基本的な情報を格納したユーザ情報ＤＢ３３ａ、放送番組表３３ｂ等を記憶している。放送番組表３３ｂは、放送局Ａから放送される放送番組の放送日時、タイトル、チャンネル、ジャンル、出演している人物等の情報を有する。番組表情報は、放送局Ａが運営するサーバから取得しても良いし、放送局Ａから送信される信号を受信し、該信号から番組表情報を抽出しても良い。ユーザ情報ＤＢ３３ａの詳細は後述する。
【００２５】
コンテンツ検索部３４は、各種ＡＶコンテンツの中から、ユーザ情報ＤＢ３３ａの情報、放送番組表３３ｂ、インターネット上の各種情報を用いて、ユーザの嗜好に応じたＡＶコンテンツを検索する処理を実行する検索エンジンである。なお、ＡＶコンテンツの検索は、外部のサーバが提供する検索エンジンを用いて実行しても良い。
【００２６】
図４は、ユーザ情報ＤＢ３３ａの一例を示す概念図である。ユーザ情報ＤＢ３３ａは、ユーザに固有のユーザＩＤ、端末登録ＩＤ、ＳＮＳ（social networking service）情報、視聴履歴情報、嗜好情報、録画コンテンツ情報等を対応付けて記憶する。
ユーザＩＤは、ユーザのメールアドレス又はユーザに固有の英数字列等である。端末登録ＩＤは、ユーザの嗜好に応じたＡＶコンテンツを示す推奨コンテンツ情報の送信先に対応したＩＤである。後述するように、推奨コンテンツ情報提供装置３は、携帯通信機１に対する推奨コンテンツのプッシュ通知を外部の通知サーバを利用して行う。端末登録ＩＤは、携帯通信機１からの要求によって通知サーバから発行されるＩＤであり、携帯通信機１は発行された端末登録ＩＤを推奨コンテンツ情報提供装置３へ送信する。推奨コンテンツ情報提供装置３は、携帯通信機１から送信された端末登録ＩＤをユーザ情報として登録する。推奨コンテンツ情報提供装置３は、プッシュ通知を行う際、端末登録ＩＤを用いて、プッシュ通知先を通知サーバに指定することができる。ＳＮＳ情報は、ユーザが利用しているソーシャルネットワーキングサービスに係る情報、例えばソーシャルネットワーキングサービスのアカウント等の情報である。推奨コンテンツ情報提供装置３は、該アカウントを利用して、ソーシャルネットワーキングサービスに公開されて情報を取得することができる。ソーシャルネットワークに公開されている情報は、ユーザの嗜好を示す情報の一つである。視聴情報は、ユーザが過去に視聴したＡＶコンテンツの履歴を示す情報である。ユーザの過去の視聴履歴は、ユーザの嗜好を示す情報の一つである。嗜好情報は、ユーザの嗜好、例えばユーザが気に入っている俳優等の人物、好きなジャンル等の情報である。録画コンテンツ情報は、ユーザ宅のＡＶ機器２１が記憶するＡＶコンテンツを示す情報である。
【００２７】
＜ユーザ情報登録処理＞
図５は、ユーザ情報の登録に係る処理手順を示すフローチャートである。ユーザ登録に係る以下の処理は、例えば、本実施形態１に係るプログラム５０の初回起動時に実行される。携帯通信機１の制御部１０は、操作部１７にてユーザＩＤを受け付ける（ステップＳ１１）。また、制御部１０は、操作部１７にてユーザが利用しているＳＮＳのアカウント等のＳＮＳ情報を受け付ける（ステップＳ１２）。更に、制御部１０は、操作部１７にてユーザの嗜好情報を受け付ける（ステップＳ１３）。例えば、ユーザが好む俳優等の人物の氏名等を受け付ける。
【００２８】
次いで、制御部１０は、プッシュ通知を行う図示しない通知サーバに端末登録ＩＤの発行を要求し、通知サーバから発行された端末登録ＩＤを取得する（ステップＳ１４）。通知サーバは、携帯通信機１からの要求に応じて固有の端末登録ＩＤを生成し、生成した端末登録ＩＤを要求元の携帯通信機１へ送信すると共に、該端末登録ＩＤと、プッシュ通知の送信先、即ち端末登録ＩＤの要求元の携帯通信機１を示す情報とを対応付けて記憶する。そして、制御部１０は、ステップＳ１１〜ステップＳ１３にて受け付けた各種情報、ステップＳ１４にて取得した端末登録ＩＤ等を含むユーザ情報を、回線通信部１２又は無線通信部１３にて推奨コンテンツ情報提供装置３へ送信する（ステップＳ１５）。
【００２９】
推奨コンテンツ情報提供装置３のサーバ制御部３０は、携帯通信機１から送信されたユーザ情報ＤＢ３３ａを通信部３２にて受信し（ステップＳ１６）、受信したユーザ情報を記憶部３３に記憶する（ステップＳ１７）。より詳細には、サーバ制御部３０は、ユーザＩＤ、端末登録ＩＤ、ＳＮＳ情報、嗜好情報等をユーザ情報ＤＢ３３ａに格納する。
【００３０】
次いで携帯通信機１の制御部１０は、ユーザ宅のＡＶ機器２１が記憶するＡＶコンテンツのタイトル、ジャンル等を示す録画コンテンツ情報を推奨コンテンツ情報提供装置３へ送信することが許可されているか否かを判定する（ステップＳ１８）。録画コンテンツ情報の可否はユーザが操作部１７を操作することによって携帯通信機１に入力することができ、制御部１０は操作部１７の操作内容に基づいて、録画コンテンツ情報の可否を判定する。録画コンテンツ情報の送信が許可されていないと判定した場合（ステップＳ１８：ＮＯ）、制御部１０は処理を終える。録画コンテンツ情報の送信が許可されていると判定した場合（ステップＳ１８：ＹＥＳ）、制御部１０は、録画機器２１ｂ及びＮＡＳ２１ｃに記録されたＡＶコンテンツのタイトル、ジャンルなどを示す録画コンテンツ情報を、無線ＬＡＮルータ２０を介して録画機器２１ｂ及びＮＡＳ２１ｃから取得し（ステップＳ１９）、取得した録画コンテンツ情報を回線通信部１２又は無線通信部１３にて推奨コンテンツ情報提供装置３へ送信する（ステップＳ２０）。
【００３１】
推奨コンテンツ情報提供装置３のサーバ制御部３０は、携帯通信機１から送信された録画コンテンツ情報を受信し（ステップＳ２１）、受信した録画コンテンツ情報を記憶部３３に記憶し（ステップＳ２２）、処理を終える。具体的には、サーバ制御部３０は、録画コンテンツ情報をユーザ情報ＤＢ３３ａに格納する。
【００３２】
以上の処理を実行することによって、ユーザの嗜好を特定するための基本的な情報をユーザ情報ＤＢ３３ａに登録することができる。なお、録画コンテンツ情報は、随時更新される情報であるため、所定のタイミング、例えば本実施形態のプログラム５０の終了時等に更新するように構成すれば良い。具体的には、携帯通信機１の制御部１０は、プログラム５０を終了する際、録画機器２１ｂ及びＮＡＳ２１ｃから録画コンテンツ情報を取得し、取得した録画コンテンツ情報を推奨コンテンツ情報提供装置３へ送信するように構成すれば良い。推奨コンテンツ情報提供装置３は、携帯通信機１から送信された録画コンテンツ情報を受信し、最新の録画コンテンツ情報をユーザ情報ＤＢ３３ａに格納する。
【００３３】
＜プッシュ通知処理＞
図６及び図７は、推奨コンテンツのプッシュ通知及びＡＶ機器操作に係る処理手順を示すフローチャート、図８は、プッシュ通知画面の一例を示す模式図である。推奨コンテンツ情報提供装置３のサーバ制御部３０は、推奨コンテンツ情報を通知する所定タイミングであるか否かを判定する（ステップＳ３１）。上記所定タイミングで無いと判定した場合（ステップＳ３１：ＮＯ）、サーバ制御部３０は、処理をステップＳ３１に戻す。上記所定タイミングであると判定した場合（ステップＳ３１：ＹＥＳ）、サーバ制御部３０は、ユーザ情報ＤＢ３３ａの情報に基づいてユーザの嗜好に応じた一のＡＶコンテンツを特定する（ステップＳ３２）。
【００３４】
なお、サーバ制御部３０は、ユーザ情報ＤＢ３３ａに登録されている嗜好情報、例えば特定の人物が登場ないし関与しているＡＶコンテンツ、過去にユーザが視聴したＡＶコンテンツと同じジャンル又は同じ人物が出演ないし関与しているＡＶコンテンツ、インターネット上で話題になっているＡＶコンテンツ、ユーザの嗜好に近いユーザないしコミュニティーが視聴しているＡＶコンテンツ、ユーザの嗜好に近い著名人が視聴しているＡＶコンテンツ等を特定すると良い。また、サーバ制御部３０は、携帯通信機１にインストールされている他のアプリケーションの利用履歴、インターネット上のウェブページの閲覧履歴等の情報を有している場合、該情報に基づいて、ユーザの嗜好に合致したＡＶコンテンツを特定しても良い。更に、上述した要素を組み合わせてユーザの嗜好に応じたＡＶコンテンツを特定しても良い。
【００３５】
そして、サーバ制御部３０は、特定された一のＡＶコンテンツを示す推奨コンテンツ情報を、通知サーバを介して上記ユーザの携帯通信機１へ送信する（ステップＳ３３）。具体的には、サーバ制御部３０は、上記ユーザの端末登録ＩＤ、推奨コンテンツ情報等を通知サーバへ送信し、プッシュ通知を要求する。通知サーバは、推奨コンテンツ情報提供装置３から送信された端末登録ＩＤに対応する携帯通信機１へ推奨コンテンツ情報を送信する。推奨コンテンツ情報は、例えば、ＡＶコンテンツのタイトル、チャンネル、該ＡＶコンテンツの所在等の情報を含む。
【００３６】
携帯通信機１は、推奨コンテンツ情報提供装置３から通知サーバを介して送信された推奨コンテンツ情報を回線通信部１２又は無線通信部１３にて受信する（ステップＳ３４）。なお、プッシュ通知においては、本実施形態に係るプログラム５０が起動していなくても、携帯通信機１の常駐プログラムによって推奨コンテンツ情報は受信される。プッシュ通知に係る推奨コンテンツ情報を受信すると、常駐プログラムによって、本実施形態のプッシュ通知に係るプログラム５０が起動され、以下の処理が実行される。
【００３７】
推奨コンテンツ情報を受信した携帯通信機１の制御部１０は、推奨コンテンツ情報に基づいて、図８に示すようなプッシュ通知画像を表示部１６に表示する（ステップＳ３５）。
【００３８】
プッシュ通知画像は、図８に示すように、推奨コンテンツ情報が示す一のＡＶコンテンツのタイトルを表示するタイトル表示部と、タイトル表示部の下部に配された複数のソフトボタンとを含む。複数のソフトボタンは、例えば、該ＡＶコンテンツをテレビ２１ａに表示させるための「視聴」ボタン、上記ＡＶコンテンツを録画機器２１ｂに録画させるための「録画」ボタン、プッシュ通知を閉じるための「閉じる」ボタン等を含む。
【００３９】
次いで、制御部１０は、無線通信部１３を介して無線接続されているネットワーク上にテレビ２１ａが存在するか否かを判定する（ステップＳ３６）。携帯通信機１がＡＶネットワーク２の通信圏外にあり、他のネットワークに無線接続しているような場合等、テレビ２１ａが存在しないときがある。テレビ２１ａが存在すると判定した場合（ステップＳ３６：ＹＥＳ）、制御部１０は、操作部１７の操作状態を監視し、「視聴」ボタンが操作されたか否かを判定する（ステップＳ３７）。「視聴」ボタンが操作されたと判定した場合（ステップＳ３７：ＹＥＳ）、制御部１０は、テレビ２１ａの電源をオンにする電源オン信号を無線通信部１３にてテレビ２１ａへ送信する（ステップＳ３８）。携帯通信機１から送信された電源オン信号を受信したテレビ２１ａは、オン状態になる。
【００４０】
そして、制御部１０は、推奨コンテンツ情報が示す一のＡＶコンテンツを選択するためのコンテンツ選択信号を無線通信部１３にてＡＶ機器２１へ送信する（ステップＳ３９）。ステップＳ３８及びステップＳ３９によって送信される電源オン信号及びコンテンツ選択信号は、所定の時間内に同時的に送信される。コンテンツ選択信号のより具体的な内容は次の通りである。
ＡＶコンテンツが放送番組である場合、制御部１０は、テレビ２１ａに該放送番組に対応するチャンネルを選択させるためのチャンネル選択信号をテレビ２１ａへ送信する。テレビ２１ａは、携帯通信機１から送信されたチャンネル選択信号を受信すると、該チャンネル選択信号が示す特定のチャンネルを選択する。
ＡＶコンテンツが録画機器２１ｂに録画されているＡＶコンテンツである場合、制御部１０は、録画機器２１ｂに該ＡＶコンテンツを選択させ、選択されたＡＶコンテンツを再生し、テレビ２１ａへ送信させる信号を無線通信部１３にて録画機器２１ｂへ送信する。ＡＶコンテンツがＮＡＳ２１ｃに記録されているＡＶコンテンツである場合、制御部１０は、ＮＡＳ２１ｃに該ＡＶコンテンツを選択させ、選択されたＡＶコンテンツをテレビ２１ａへ送信させる信号を無線通信部１３にて送信する。ＡＶコンテンツが外部ネットワーク上の動画である場合、制御部１０は、テレビ２１ａに該ＡＶコンテンツを選択させるための情報としてＵＲＬを含む信号を無線通信部１３にてテレビ２１ａへ送信する。テレビ２１ａは、該信号を受信すると、該信号が示すＵＲＬに基づいて、外部のウェブサーバ４にアクセスし、該ＵＲＬが示す動画を取得し、取得した動画を表示パネルに表示させる。
【００４１】
ステップＳ３９の処理を終えた場合、又はネットワーク上にテレビ２１ａが存在しないと判定した場合（ステップＳ３６：ＮＯ）、若しくは「視聴」ボタンが操作されていないと判定した場合（ステップＳ３７：ＮＯ）、制御部１０は、推奨コンテンツ情報が示すＡＶコンテンツが、現在放送中の放送番組であるか否かを判定する（ステップＳ４０）。放送番組であると判定した場合（ステップＳ４０：ＹＥＳ）、制御部１０は、操作部１７の操作状態を監視し、「録画」ボタンが操作されたか否かを判定する（ステップＳ４１）。「録画」ボタンが操作されたと判定した場合（ステップＳ４１：ＹＥＳ）、制御部１０は、推奨コンテンツ情報が示すＡＶコンテンツを録画機器２１ｂに録画させるための録画信号を無線通信部１３にて該録画機器２１ｂへ送信する（ステップＳ４２）。録画装置２１ｂは、録画信号を受信すると、該録画信号に従って、チューナにて特定のＡＶコンテンツのチャンネルを選択し、受信したＡＶコンテンツを記憶装置に記憶させる。
【００４２】
ステップＳ４２の処理を終えた場合、又は推奨コンテンツ情報が示すＡＶコンテンツが放送番組で無いと判定した場合（ステップＳ４０：ＮＯ）、若しくは「録画」ボタンが操作されていないと判定した場合（ステップＳ４１：ＮＯ）、制御部１０は、操作部１７の操作状態を監視し、「取消」ボタンが操作されたか否かを判定する（ステップＳ４３）。「取消」ボタンが操作されていないと判定した場合（ステップＳ４３：ＮＯ）、制御部１０は処理をステップＳ３６へ戻す。「取消」ボタンが操作されたと判定した場合（ステップＳ４３：ＹＥＳ）、制御部１０は、プッシュ通知画像を閉じ（ステップＳ４４）、処理を終える。
【００４３】
＜サムネイル表示及びザッピング処理＞
図９〜図１１は、推奨コンテンツのサムネイル一覧表示及びザッピングに係る処理手順を示すフローチャート、図１２は、サムネイル一覧表示操作及びサムネイル一覧表示画面の一例を示す模式図、図１３は、視聴コンテンツに関するコメント表示画面の一例を示す模式図である。
【００４４】
本実施形態１に係るプログラム５０が携帯通信機１にインストールされると、図１２の上図に示すように、該プログラム５０を起動するためのアイコンが表示部１６に表示される。ユーザによって上記アイコンがタップ操作された場合、携帯通信機１はプログラム５０を起動し、以下の処理を実行する。
【００４５】
携帯通信機１の制御部１０は、推奨コンテンツ情報を推奨コンテンツ情報提供装置３に要求する（ステップＳ５１）。具体的には、制御部１０は、少なくともユーザＩＤを含み、推奨コンテンツ情報を要求することを示す情報を、回線通信部１２又は無線通信部１３にて推奨コンテンツ情報提供装置３へ送信する。
【００４６】
推奨コンテンツ情報提供装置３のサーバ制御部３０は、携帯通信機１の要求に応じて、ユーザＩＤに対応するユーザの嗜好に応じた複数のＡＶコンテンツ、及び各ＡＶコンテンツの優先度を特定する（ステップＳ５２）。ＡＶコンテンツの特定方法は、ステップＳ３２と同様である。優先度は、ユーザの嗜好に対する合致度によって特定される。ここで特定されるＡＶコンテンツの数は特に限定されるものでは無いが、ユーザがザッピングにより、所望のＡＶコンテンツを容易に発見できる程度の数が望ましい。そして、サーバ制御部３０は、特定されたＡＶコンテンツを示す推奨コンテンツ情報と、該ＡＶコンテンツの内容を示すサムネイル画像データを携帯通信機１へ送信する（ステップＳ５３）。推奨コンテンツ情報は、複数のＡＶコンテンツそれぞれのタイトル、優先度、チャンネル、該ＡＶコンテンツの所在、該ＡＶコンテンツに対するコメント等の情報を含む。なお、サムネイル画像データに代えて、該サムネイル画像データの所在を示すＵＲＬを送信するように構成しても良い。
【００４７】
携帯通信機１の制御部１０は、推奨コンテンツ情報提供装置３から送信された推奨コンテンツ情報及びサムネイル画像データを、回線通信部１２又は無線通信部１３にて受信する（ステップＳ５４）。サムネイル画像データの所在を示すＵＲＬを受信した場合、制御部１０は、該ＵＲＬに基づいてサムネイル画像データを外部から取得する。
【００４８】
次いで、制御部１０は、サムネイル画像データに基づいて、サムネイル一覧画像を表示部１６に表示する（ステップＳ５５）。
【００４９】
サムネイル一覧画像は、例えば図１２下図に示すように、推奨コンテンツ情報が示す複数のＡＶコンテンツに係るサムネイル画像を含む。各サムネイル画像は優先度順に配列している。各サムネイル画像には、推奨コンテンツ情報が示す各ＡＶコンテンツのタイトル及びコメントが含まれる。また、サムネイル一覧画像の下部には、ＡＶコンテンツに係るザッピング操作を受け付けるための「ザッピング」ボタンの画像が表示される。
【００５０】
次いで、制御部１０は、操作部１７の操作状態を監視し、サムネイル画像がタップ操作されたか否かを判定する（ステップＳ５６）。サムネイル画像がタップ操作されたと判定した場合（ステップＳ５６：ＹＥＳ）、制御部１０は、テレビ２１ａの電源をオンにする電源オン信号を無線通信部１３にてテレビ２１ａへ送信する（ステップＳ５７）。そして、制御部１０は、タップ操作されたサムネイル画像に対応する一のＡＶコンテンツを選択するためのコンテンツ選択信号を無線通信部１３にてＡＶ機器２１へ送信する（ステップＳ５８）。コンテンツ選択信号の内容は、ステップＳ３８にて送信される信号と同様である。
【００５１】
ステップＳ５８の処理を終えた場合、又はサムネイル画像がタップ操作されていないと判定した場合（ステップＳ５６：ＮＯ）、制御部１０は、操作部１７の操作状態を監視し、「ザッピング」ボタンが操作されたか否かを判定する（ステップＳ５９）。「ザッピング」ボタンがタップ操作されたと判定した場合（ステップＳ５９：ＹＥＳ）、前回送信したコンテンツ選択信号に係るＡＶコンテンツの次に優先度が高いＡＶコンテンツを特定する（ステップＳ６０）。そして、制御部１０は、ステップＳ６０にて特定したＡＶコンテンツを選択するためのコンテンツ選択信号を無線通信部１３にてＡＶ機器２１へ送信する（ステップＳ６１）。
【００５２】
ステップＳ６１の処理を終えた制御部１０は、操作部１７の操作状態を監視し、「ザッピング」ボタンが長押しされているか否かを判定する（ステップＳ６２）。「ザッピング」ボタンが長押しされていると判定した場合（ステップＳ６２：ＹＥＳ）、制御部１０は処理をステップＳ６０へ戻す。
【００５３】
「ザッピング」ボタンが長押しされていないと判定した場合（ステップＳ６２：ＮＯ）、又は「ザッピング」ボタンが操作されていないと判定した場合（ステップＳ５９：ＮＯ）、制御部１０は、操作部１７の操作状態を監視し、フリック操作又はスワイプ操作がされたか否かを判定する（ステップＳ６３）。フリック操作又はスワイプがされたと判定した場合（ステップＳ６３：ＹＥＳ）、制御部１０は、フリック操作又はスワイプ操作の操作方向及び操作量に応じた優先度のＡＶコンテンツを特定する（ステップＳ６４）。例えば、フリック操作又はスワイプ操作の方向が上方向である場合、制御部１０は、前回送信したコンテンツ選択信号に係るＡＶコンテンツより優先度が高いＡＶコンテンツを特定する。フリック操作又はスワイプ操作の方向が下方向である場合、制御部１０は、前回送信したコンテンツ選択信号に係るＡＶコンテンツより優先度が低いＡＶコンテンツを特定する。また、フリック操作又はスワイプ操作の操作量が大きい程、より高い又はより低い優先度のＡＶコンテンツを特定する。そして、制御部１０は、ステップＳ６４にて特定されたＡＶコンテンツを選択するための選択信号を無線通信部１３にてＡＶ機器２１へ送信する（ステップＳ６５）。
【００５４】
ステップＳ６５の処理を終えた場合、又はフリック操作及びスワイプ操作が行われてないと判定した場合（ステップＳ６３：ＮＯ）、制御部１０は、ＡＶ機器２１と通信を行い、テレビ２１ａに表示されているＡＶコンテンツを特定し（ステップＳ６６）、同一のＡＶコンテンツが所定時間以上、継続的にテレビ２１ａに表示されているか否かを判定する（ステップＳ６７）。つまり、制御部１０は、ユーザが所望のＡＶコンテンツを見つけ、視聴しているか否かを判定する。同一のＡＶコンテンツが所定時間以上、継続的にテレビ２１ａに表示されていないと判定した場合（ステップＳ６７：ＮＯ）、制御部１０は処理をステップＳ５５へ戻す。
【００５５】
所定時間以上、継続的にテレビ２１ａに表示されていると判定した場合（ステップＳ６７：ＹＥＳ）、制御部１０は、テレビ２１ａに表示中のＡＶコンテンツに関連する情報を回線通信部１２にて収集する（ステップＳ６８）。例えば、制御部１０は、ＡＶコンテンツに係るソーシャルネットワーキングサービスに投稿されているコメント等の情報を収集する。そして、制御部１０は、現在テレビ２１ａに表示されているＡＶコンテンツに関連する情報を含むコメント一覧画像を表示部１６に表示する（ステップＳ６９）。
【００５６】
コメント一覧画像は、例えば図１３に示すように、ＡＶコンテンツに関する複数のコメントを投稿日時順に一覧表示してなる画像である。また、コメント一覧画像の下部には「ザッピング」ボタンの画像が表示されている。
【００５７】
次いで、制御部１０は、ステップＳ６７にて所定時間以上、継続的にテレビ２１ａに表示されているＡＶコンテンツを示す視聴情報を回線通信部１２又は無線通信部１３にて推奨コンテンツ情報提供装置３へ送信する（ステップＳ７０）。推奨コンテンツ情報提供装置３のサーバ制御部３０は、携帯通信機１から送信された視聴情報を通信部３２にて受信し、受信した視聴情報を記憶部３３に記憶する（ステップＳ７１）。具体的には、サーバ制御部３０は、視聴情報をユーザ情報ＤＢ３３ａの視聴履歴情報に追加登録する。
【００５８】
一方、視聴情報を送信した携帯通信機１の制御部１０は、操作部１７の操作状態を監視し、「ザッピング」ボタンが操作されたか否かを判定する（ステップＳ７２）。「ザッピング」ボタンが操作されていないと判定した場合（ステップＳ７２：ＮＯ）、制御部１０は処理をステップＳ６６へ戻す。「ザッピング」ボタンが操作されたと判定した場合（ステップＳ７２：ＹＥＳ）、制御部１０は、ステップＳ５５と同様の処理によってＡＶコンテンツのサムネイル一覧画像を表示部１６に表示し（ステップＳ７３）、処理をステップＳ６０へ戻す。つまり、コメント一覧画面からサムネイル一覧表示画面へ遷移すると共に、次に優先度が高いＡＶコンテンツを選択するための選択信号がＡＶ機器２１へ送信し、該ＡＶコンテンツをテレビ２１ａに表示させる。
【００５９】
以上、このように構成されたＡＶ機器システムによれば、携帯通信機１の操作部１７に対する単一操作、具体的には「視聴」ボタンのタップ操作を行うのみで、テレビ２１ａの電源をオン状態にし、特定のＡＶコンテンツをテレビ２１ａに表示することができる。
【００６０】
具体的には、携帯通信機１に対する単一操作を行うのみで、テレビ２１ａの電源をオンにし、ユーザの嗜好に応じた放送番組のチャンネルをテレビ２１ａに選択させることができる。同様に、携帯通信機１に対する単一操作を行うのみで、テレビ２１ａの電源をオンにし、ユーザの嗜好に応じた録画済みのＡＶコンテンツを録画機器２１ｂに再生させ、テレビ２１ａに表示することができる。また、携帯通信機１に対する単一操作を行うのみで、テレビ２１ａの電源をオンにし、ユーザの嗜好に応じたネットワーク上の動画をテレビ２１ａに表示することができる。
【００６１】
また、ユーザの嗜好に応じたＡＶコンテンツを携帯通信機１にプッシュ通知することができる。つまり、携帯通信機１において本実施形態１に係るプログラム５０を起動していなくても、ユーザの嗜好に応じたＡＶコンテンツをプッシュ通知することができる。
【００６２】
更に、携帯通信機１に対する単一操作、具体的には「録画」ボタンのタップ操作を行うのみで、ユーザの嗜好に応じた放送番組を録画機器２１ｂに録画させることができる。
【００６３】
更にまた、本実施形態１に係るプログラム５０を起動することによって、ユーザの嗜好に応じた複数のＡＶコンテンツに係るサムネイル一覧画像を携帯通信機１の表示部１６に表示させることができる。そして、サムネイル画像に対する単一操作であるタップ操作を行うのみで、テレビ２１ａの電源をオンにし、タップされたサムネイル画像に対応するＡＶコンテンツを表示部１６に表示させることができる。
【００６４】
更にまた、「ザッピング」ボタンを操作することによって、ユーザの嗜好に応じた複数のＡＶコンテンツを順次テレビ２１ａに表示させることができる。更にまた、携帯通信機１に対するフリック操作又はスワイプ操作を行うことによって、ユーザの嗜好に応じた複数のＡＶコンテンツを、優先度の昇順又は降順にテレビ２１ａに表示させることができる。また、フリック操作又はスワイプ操作の操作量に応じて、より速くテレビ２１ａに表示させるＡＶコンテンツを切り替えることができる。更にまた、「ザッピング」ボタンを長押しすることによって、ユーザの嗜好に応じた複数のＡＶコンテンツを周期的に順次、テレビ２１ａに表示させることができる。
【００６５】
更にまた、本実施形態１によれば、テレビ２１ａに表示されたＡＶコンテンツに関連する情報、例えばソーシャルネットワーキングサービスに投稿されているコメントを携帯通信機１の表示部１６に表示することができる。更にまた、本実施形態１によれば、ユーザのＳＮＳ情報、視聴履歴、嗜好情報等に基づいて、ユーザの嗜好に応じたＡＶコンテンツを特定し、該ＡＶコンテンツをプッシュ通知し、又は該ＡＶコンテンツのサムネイル画像を一覧表示することができる。特に、ユーザのお気に入りの俳優等の人物に関連するＡＶコンテンツを特定し、該ＡＶコンテンツをプッシュ通知し、又は該ＡＶコンテンツのサムネイル画像を一覧表示することができる。
【００６６】
なお、本実施形態１では、動画を記憶するＡＶ機器２１として、録画機器２１ｂ、ＮＡＳ２１ｃを例示したが、動画を記憶したビデオカメラ、デジタルカメラ、タブレット端末、スマートフォン、記憶装置を内蔵したテレビ２１ａ等であっても良い。
【００６７】
また、電源オン信号及びＡＶコンテンツ選択信号を送信させるための単一操作の例として、タッチセンサである操作部１７に対するタップ操作等を例示したが、これに限定されるものでは無い。例えば、操作部１７が機械式ボタンを含む場合、該機械式ボタンの押下を単一操作として受け付けるように携帯通信機１及びプログラム５０を構成しても良い。また、携帯通信機１の操作部１７として機能する加速度センサを備えている場合、携帯通信機１を加速させる操作を単一操作として受け付けるように携帯通信機１及びプログラム５０を構成しても良い。例えば、携帯通信機１を振る等の操作を単一操作としても良い。
【００６８】
更に、本実施形態１では、ユーザの嗜好に応じたＡＶコンテンツを特定する主な処理を推奨コンテンツ情報提供装置３に実行させる例を説明したが、ユーザの嗜好に応じたＡＶコンテンツを特定する処理の全部又は一部を携帯通信機１が実行するように構成しても良い。例えば、検索プログラムを制御部１０が実行することによって、ユーザの嗜好に応じたＡＶコンテンツの検索ないし特定を行い、本実施形態に係るプログラムが検索プログラムによる検索結果、つまりユーザの嗜好に応じたＡＶコンテンツを示す情報を取得するように構成しても良い。本実施形態に係るプログラム及び検索プログラムは、別構成であっても、一体のプログラムであっても良い。
【００６９】
更にまた、本実施形態１では、放送局Ａから放送されるＡＶコンテンツ、ＡＶネットワーク２上のＡＶ機器２１が記憶するＡＶコンテンツ、通信網Ｎに接続された任意のウェブサーバ４が記憶するＡＶコンテンツの中から、ユーザの嗜好に応じたＡＶコンテンツを特定する例を説明したが、検索対象のＡＶコンテンツ群は特に限定されるものでは無い。例えば、ＡＶ機器システムは、放送番組のＡＶコンテンツの中から特定のＡＶコンテンツを特定しても良いし、放送番組及び録画機器２１ｂが記憶するＡＶコンテンツの中から特定のＡＶコンテンツを特定しても良い。
【００７０】
更にまた、本実施形態１では、プッシュ通知の一例としてトースト通知を例示したが、携帯通信機１は、推奨コンテンツ情報が示すＡＶコンテンツをステータス通知するように構成しても良い。また、推奨コンテンツ情報を受信したことをアイコンバッジにて通知するように構成しても良い。アイコンバッジ付きのアイコンがタップ操作された場合、携帯通信機１は、電源オン信号及びチャンネル選択信号をＡＶ機器２１へ送信するように構成すれば良い。
【００７１】
更にまた、実施形態１に係るプログラム５０が起動していなくても、ユーザの嗜好に応じたＡＶコンテンツを所定のタイミングでプッシュ通知する例を説明したが、本実施形態１に係るプログラム５０を常駐させ、所定のタイミングでＡＶコンテンツを通知するように構成しても良い。
【００７２】
更にまた、本実施形態１では一のＡＶコンテンツを特定し、プッシュ通知する例を説明したが、複数のＡＶコンテンツをプッシュ通知するように構成しても良い。例えば、２つのＡＶコンテンツがプッシュ通知され、「視聴」ボタンが操作された場合、携帯通信機１は、テレビ２１ａに２画面表示させるための信号と、左画面を選択し、一方のＡＶコンテンツに対応するチャンネルを選択させる信号と、右画面を選択し、他方のＡＶコンテンツに対応するチャンネルを選択させる信号とを送信すると良い。テレビ２１ａには、上記２つのＡＶコンテンツが２画面表示される。その後、ユーザは所望の一のＡＶコンテンツを選択すれば良い。
また、ＡＶコンテンツのザッピングの際も優先度が同列の２つのＡＶコンテンツがある場合、各ＡＶコンテンツをテレビ２１ａに２画面表示させるように構成しても良い。
【００７３】
更にまた、本実施形態１では所定のタイミングで、ＡＶコンテンツのプッシュ通知を行う例を説明したが、プッシュ通知のタイミングを動的に変化させても良い。例えば、ユーザの視聴履歴情報を用いて、過去に視聴したＡＶコンテンツに関連する放送番組がある場合、該放送番組をプッシュ通知すると良い。また、スポーツ番組の視聴を中断したユーザの携帯通信機１に対して、該スポーツ番組のハイライトシーンが検出されたタイミング、又は該スポーツ番組に関するコメントが増大したようなタイミングに、該スポーツ番組のＡＶコンテンツをプッシュ通知するように構成しても良い。
【００７４】
（実施形態２）
実施形態２に係るＡＶ機器システムは、ＡＶネットワーク２に複数のテレビ２１ａが接続されている点が実施形態１と異なるため、以下では、主にかかる相違点を説明する。その他の構成及び作用効果は実施形態１と同様であるため、対応する箇所には同様の符号を付して詳細な説明を省略する。
【００７５】
図１４は、実施形態２に係るテレビ２１ａ選択の処理手順を示すフローチャート、図１５Ａ〜図１５Ｃは、テレビ２１ａの選択操作及びテレビ２１ａ選択画面の一例を示す模式図である。実施形態２に係る携帯通信機１の制御部１０は、実施形態１に係るステップＳ３１〜ステップＳ３７と同様の処理を実行する。そして、制御部１０は、「視聴」ボタンが操作されたと判定した場合（ステップＳ３７：ＹＥＳ）、無線通信部１３を介して無線接続されているＡＶネットワーク２上に複数のテレビ２１ａが存在するか否かを判定する（ステップＳ２１１）。単一のテレビ２１ａが存在すると判定した場合（ステップＳ２１１：ＮＯ）、制御部１０は、ＡＶネットワーク２上に接続されているテレビ２１ａを操作対象として設定する（ステップＳ２１２）。複数のテレビ２１ａが存在すると判定した場合（ステップＳ２１１：ＹＥＳ）、制御部１０は、ＡＶネットワーク２に存在する複数のテレビ２１ａのいずれかが、操作対象として登録済みのテレビ２１ａであるか否かを判定する（ステップＳ２１３）。登録済みのテレビ２１ａである場合（ステップＳ２１３：ＹＥＳ）、制御部１０は、登録されているテレビ２１ａを操作対象のテレビ２１ａに設定する（ステップＳ２１４）。
【００７６】
登録済みのテレビ２１ａで無いと判定した場合（ステップＳ２１３：ＮＯ）、制御部１０は、テレビ２１ａ選択画像を表示部１６に表示する（ステップＳ２１５）。
【００７７】
ＡＶネットワーク２に複数のテレビ２１ａが接続されている状態で、図１５Ａに示すように「視聴」ボタンがタップ操作された場合、図１５Ｂに示すようなテレビ２１ａ選択画像が携帯通信機１の表示部１６に表示される。
テレビ２１ａ選択画像は、ＡＶネットワーク２に存在する複数のテレビ２１ａそれぞれを選択するためのテレビ２１ａ選択ボタンを含む。また、テレビ２１ａ選択画像は、テレビ２１ａ選択ボタンの下部に、「常時」ボタン及び「今回のみ」ボタンを含む。「常時」ボタンは、テレビ２１ａ選択ボタンによって選択されたテレビ２１ａを、今後常時、操作対象として選択することを指示するためのボタンである。「今回のみ」ボタンは、テレビ２１ａボタンによって選択されたテレビ２１ａを操作対象とするのは今回のみであることを指示するためのボタンである。
【００７８】
そして、制御部１０は操作対象のテレビ２１ａの選択を操作部１７にて受け付け（ステップＳ２１６）、選択されたテレビ２１ａを操作対象のテレビ２１ａとして設定する（ステップＳ２１７）。図１５Ｂ中、「テレビ１」ボタンがタップ操作された場合、「テレビ１」に対応する一のテレビ２１ａが操作対象として選択され、「テレビ２」ボタンがタップ操作された場合、「テレビ２」に対応する他のテレビ２１ａが操作対象として選択される。
【００７９】
次いで、制御部１０は、ステップＳ２１６にて受け付けたテレビ２１ａの登録を要するか否かを判定する（ステップＳ２１８）。具体的には、制御部１０は、「常時」ボタンがタップ操作された場合、テレビ２１ａの登録を要すると判定し、「今回」ボタンがタップ操作された場合、該登録は不要と判定する。登録を要すると判定した場合（ステップＳ２１８：ＹＥＳ）、制御部１０は、ステップＳ２１６にて受け付けたテレビ２１ａを操作対象のテレビ２１ａとして登録する（ステップＳ２１９）。具体的には、制御部１０は、選択されたテレビ２１ａを識別する情報を記憶部１１に記憶させる。
【００８０】
ステップＳ２１２、ステップＳ２１４若しくはステップＳ２１９の処理を終えた場合、又はステップＳ２１８においてテレビ２１ａの登録を要しないと判定した場合（ステップＳ２１８：ＮＯ）、制御部１０は、操作対象として選択されたテレビ２１ａへ、テレビ２１ａの電源をオンにする電源オン信号を無線通信部１３にて送信する（ステップＳ２２０）。以下、実施形態１に係るステップＳ３９〜ステップＳ４４の処理を実行する。
【００８１】
このように構成された実施形態２に係るＡＶ操作機器システムによれば、ＡＶネットワーク２に複数のテレビ２１ａが接続されている場合であっても、所望のテレビ２１ａを選択することによって、選択されたテレビ２１ａの電源をオンにし、該テレビ２１ａにユーザの嗜好に応じてＡＶコンテンツを表示することができる。
【００８２】
また、一度操作対象として選択されたテレビ２１ａを登録することによって、同じＡＶネットワーク２に携帯通信機１が無線接続した際、携帯通信機１は、自動的に該テレビ２１ａを操作対象として選択することができる。この場合、プッシュ通知画像の「視聴」ボタンをタップ操作するのみで、特定のテレビ２１ａの電源をオンにし、プッシュ通知されたＡＶコンテンツを表示することができる。
【００８３】
なお、本実施形態２では、テレビ２１ａの選択を手動で行う例を説明したが、携帯通信機１の近傍にあるテレビ２１ａを自動的に選択するように構成しても良い。例えば、複数のテレビ２１ａがＷｉＦｉ通信機能、Ｂｌｕｅｔｏｏｔｈ（登録商標）通信機能等の無線通信機能を有する場合、各テレビ２１ａから送信される信号を無線通信部１３にて受信し、受信した信号の強度に基づいて、近傍のテレビ２１ａを特定し、該テレビ２１ａを選択するように構成しても良い。
【００８４】
また、本実施形態２では、２つのテレビ２１ａから一のテレビ２１ａを選択する例を説明したが、言うまでもなく、ＡＶネットワーク２に３つ以上のテレビ２１ａが接続されている場合、３つ以上のテレビ２１ａの中から、一のテレビ２１ａを選択するように構成しても良い。
【００８５】
（実施形態３）
実施形態３に係るＡＶ機器システムは、携帯通信機１に複数のユーザＩＤを設定し、選択することができる点が実施形態１と異なるため、以下では、主にかかる相違点を説明する。その他の構成及び作用効果は実施形態１と同様であるため、対応する箇所には同様の符号を付して詳細な説明を省略する。
【００８６】
図１６は、実施形態３に係るユーザＩＤの切り替え処理手順を示すフローチャート、図１７は、ユーザＩＤの変更操作の一例を示す模式図である。携帯通信機１の制御部１０は、操作部１７の操作状態を監視し、ユーザＩＤの追加の要否を受け付ける（ステップＳ３５１）。なお、ユーザＩＤとユーザとは一対一対応している必要は無く、一のユーザが複数のユーザＩＤを設定しても良い。ユーザＩＤの追加を要すると判定した場合（ステップＳ３５１：ＹＥＳ）、制御部１０は、追加するユーザＩＤ及びその他のユーザ情報を受け付け（ステップＳ３５２）、ユーザ情報の登録処理を実行する（ステップＳ３５３）。ユーザ情報の登録処理は、ステップＳ１４〜ステップＳ２２と同様の処理である。
【００８７】
次いで、制御部１０は、操作部１７の操作状態を監視し、現在選択されているユーザＩＤの変更の要否を受け付ける（ステップＳ３５４）。ユーザＩＤの変更を要すると判定した場合（ステップＳ３５４：ＹＥＳ）、制御部１０は、操作部１７にて変更後のユーザＩＤの選択を受け付ける（ステップＳ３５５）。例えば、制御部１０は、図１７に示すように、登録されている複数のユーザＩＤの一覧を表示部１６にプルダウン表示し、一覧中のユーザＩＤの画像に対するタップ操作によって、ユーザＩＤの選択を受け付ける。
【００８８】
ステップＳ３５５の処理を終えた場合、又はユーザＩＤの変更が不要であると判定した場合（ステップＳ３５４：ＮＯ）、制御部１０は、現在選択されているユーザＩＤに基づいて、推奨コンテンツ情報を推奨コンテンツ情報提供装置３に要求する（ステップＳ３５６）。
【００８９】
推奨コンテンツ情報提供装置３のサーバ制御部３０は、携帯通信機１の要求に応じて、現在選択されているユーザＩＤに対応するユーザの嗜好に応じた複数のＡＶコンテンツ、及び各ＡＶコンテンツの優先度を特定する（ステップＳ３５７）。そして、サーバ制御部３０は、特定されたＡＶコンテンツを示す推奨コンテンツ情報と、該ＡＶコンテンツの内容を示すサムネイル画像データを携帯通信機１へ送信する（ステップＳ３５８）。以下、実施形態１に係るステップＳ５４〜ステップＳ７３の処理を実行する。
【００９０】
このように構成された実施形態３に係るＡＶ機器システムによれば、ユーザＩＤを切り替えることによって、いわばユーザの嗜好を切り替え、サムネイル一覧表示されるＡＶコンテンツの内容を変更することができる。
【００９１】
なお、携帯通信機１によって選択されているユーザＩＤを推奨コンテンツ情報提供装置３が管理し、プッシュ通知するＡＶコンテンツの内容についてもユーザＩＤによって切り替えるように構成しても良い。例えば、ユーザＩＤが変更された際、携帯通信機１は現在選択されているユーザＩＤを示す情報を推奨コンテンツ情報提供装置３へ送信する。推奨コンテンツ情報提供装置３は携帯通信機１から送信されたユーザＩＤを受信し、携帯通信機１によって選択されているユーザＩＤを記憶すれば良い。プッシュ通知する際、記憶しているユーザＩＤに対応する一のＡＶコンテンツを特定し、プッシュ通知に係る処理を実行する。なお、言うまでも無く、本実施形態３に係るプログラム５０が常駐して通知を行う構成の場合、携帯通信機１で現在選択されているユーザＩＤを推奨コンテンツ情報提供装置３で管理する必要は無い。
【００９２】
（実施形態４）
実施形態４に係るＡＶ機器システムは、携帯通信機１の周囲に存在する他の携帯通信機１を考慮して、サムネイル一覧表示するＡＶコンテンツの内容を変更する点が実施形態１と異なるため、以下では、主にかかる相違点を説明する。その他の構成及び作用効果は実施形態１と同様であるため、対応する箇所には同様の符号を付して詳細な説明を省略する。
【００９３】
実施形態４に係る携帯通信機１は、例えば家族等の特定のユーザのユーザＩＤと、該ユーザの携帯通信機１のＳＳＩＤ等とを対応付けて記憶している。
図１８は、複数ユーザの嗜好に基づく推奨コンテンツの特定処理手順を示すフローチャートである。携帯通信機１は、無線通信部１３にて受信した信号にて、周囲に存在する他の携帯通信機１を探索する（ステップＳ４５１）。例えば、携帯通信機１は、他の携帯通信機１のＳＳＩＤを取得する。
【００９４】
そして、制御部１０は、特定のユーザの携帯通信機１が周囲にあるか否かを判定する（ステップＳ４５２）。具体的には制御部１０は、記憶部１１が記憶するＳＳＩＤと同一のＳＳＩＤを有する携帯通信機１からの信号を受信したか否かを判定する。周囲に特定のユーザの携帯通信機１が存在すると判定した場合（ステップＳ４５２：ＹＥＳ）、制御部１０は、自機のユーザＩＤと、周囲にある他の携帯通信機１に係る特定のユーザのユーザＩＤとに基づく要求情報を作成する（ステップＳ４５３）。つまり、制御部１０は、自機のユーザに係るユーザＩＤと、特定のユーザに係るユーザＩＤとに基づいて、各ユーザの嗜好に応じたＡＶコンテンツを示す情報を推奨コンテンツ情報提供装置３に要求するための要求情報を作成する。周囲に特定の他の携帯通信機１が存在しないと判定した場合（ステップＳ４５２：ＮＯ）、制御部１０は、自機のユーザＩＤに基づく要求情報を作成する（ステップＳ４５４）。
【００９５】
ステップＳ４５３又はステップＳ４５４の処理を終えた場合、各処理で算出した要求情報を推奨コンテンツ情報提供装置３へ送信することにより、一のユーザ、又は複数の各ユーザの嗜好に応じたＡＶコンテンツを示す推奨コンテンツ情報を要求する（ステップＳ４５５）。
【００９６】
推奨コンテンツ情報提供装置３のサーバ制御部３０は、携帯通信機１から送信された要求信号を受信した場合、複数のユーザＩＤに基づく要求であるか否かを判定する（ステップＳ４５６）。複数のユーザＩＤに基づく要求であると判定した場合（ステップＳ４５６：ＹＥＳ）、サーバ制御部３０は、携帯通信機１の要求に応じて、複数のユーザＩＤに対応する各ユーザの嗜好に応じた複数のＡＶコンテンツ、及び各ＡＶコンテンツの優先度を特定する（ステップＳ４５７）。単一のユーザＩＤに基づく要求であると判定した場合（ステップＳ４５６：ＮＯ）、制御部３０は、単一のユーザＩＤに対応するユーザの嗜好に応じた複数のＡＶコンテンツ、及びＡＶコンテンツの優先度を特定する（ステップＳ４５８）。そして、サーバ制御部３０は、特定されたＡＶコンテンツを示す推奨コンテンツ情報と、該ＡＶコンテンツの内容を示すサムネイル画像データを携帯通信機１へ送信する（ステップＳ４５９）。以下、実施形態１に係るステップＳ５４〜ステップＳ７３の処理を実行する。
【００９７】
このように構成された実施形態４に係るＡＶ機器システムによれば、一の携帯通信機１の周囲に他の携帯通信機１が存在する場合、各携帯通信機１のユーザの嗜好に応じたＡＶコンテンツを表示部１６にサムネイル一覧表示させることができる。例えば、複数の家族が自宅に居る場合、家族皆が楽しめるＡＶコンテンツをサムネイル一覧表示することができる。
【００９８】
なお、本実施形態４ではサムネイル一覧表示の例を説明したが、プログラム５０が常住してＡＶコンテンツを通知する構成の場合、携帯通信機１は、一の携帯通信機１の周囲に存在する他の携帯通信機１を検出し、各ユーザの嗜好に応じたＡＶコンテンツを所定のタイミングで通知するように構成しても良い。
【００９９】
（実施形態５）
実施形態５に係るＡＶ機器システムは、ユーザの嗜好に加え、ユーザの現在地の情報に基づくＡＶコンテンツをサムネイル一覧表示させる点が実施形態１と異なるため、以下では、主にかかる相違点を説明する。その他の構成及び作用効果は実施形態１と同様であるため、対応する箇所には同様の符号を付して詳細な説明を省略する。
【０１００】
図１９は、実施形態５に係るユーザ情報ＤＢ５３３ａの一例を示す概念図である。実施形態５に係るユーザ情報ＤＢ５３３ａは、実施形態１と同様、ユーザＩＤ、端末登録ＩＤ、ＳＮＳ情報、視聴履歴情報、嗜好情報、録画コンテンツ情報を対応付けて記憶している。ただし、実施形態５に係る視聴履歴情報は、過去に視聴された複数のＡＶコンテンツを示す履歴と、各ＡＶコンテンツが視聴された位置を示す情報とを含む。視聴位置の情報に関しては、例えば、ステップＳ７０にて送信する視聴情報に、位置検出部１４にて検出した位置を示す情報を付加して推奨コンテンツ情報提供装置３へ送信するように構成すれば良い。推奨コンテンツ情報提供装置３は、視聴情報に含まれる視聴中のＡＶコンテンツを示す情報と、位置情報とをユーザ情報ＤＢ５３３ａの視聴履歴情報として登録する。
【０１０１】
図２０は、ユーザの位置情報に基づく推奨コンテンツの特定処理手順を示すフローチャートである。携帯通信機１の制御部１０は、位置検出部１４にて自機の位置を検出する（ステップＳ５５１）。そして、ステップＳ５５１にて検出した位置及びユーザＩＤに基づいて、推奨コンテンツ情報を推奨コンテンツ情報提供装置３に要求する（ステップＳ５５２）。
【０１０２】
推奨コンテンツ情報提供装置３のサーバ制御部３０は、携帯通信機１の要求に応じて、ユーザＩＤ及び位置に対応するユーザの嗜好に応じた複数のＡＶコンテンツ、及び各ＡＶコンテンツの優先度を特定する（ステップＳ５５３）。そして、サーバ制御部３０は、特定されたＡＶコンテンツを示す推奨コンテンツ情報と、該ＡＶコンテンツの内容を示すサムネイル画像データを携帯通信機１へ送信する（ステップＳ５５４）。以下、実施形態１に係るステップＳ５４〜ステップＳ７３の処理を実行する。
【０１０３】
このように構成された実施形態５に係るＡＶ機器システムによれば、ユーザの嗜好及び現在地に応じたＡＶコンテンツをサムネイル一覧表示することができる。例えばユーザが自宅に居るときは自宅で良く視聴するようなＡＶコンテンツがサムネイル一覧表示され、外出先に居るときは該外出先で良く視聴するようなＡＶコンテンツがサムネイル一覧される。
【０１０４】
なお、本実施形態５では、ユーザの位置に応じたＡＶコンテンツを特定する例を説明したが、ＡＶコンテンツ選択に影響するその他の情報に基づいてＡＶコンテンツを選択しても良い。例えば、携帯通信機１がユーザの血圧、心拍、姿勢、動作状態、気温等を検出するセンサを備えている場合、ユーザ情報ＤＢ５３３ａ及び該センサ結果に基づいてＡＶコンテンツを特定するように構成しても良い。また携帯通信機１は、外部センサにて検出されたユーザの血圧、心拍、姿勢、動作状態、気温等の情報を無線通信部１３にて受信するように構成しても良い。このように構成されたＡＶ機器システムによれば、ユーザの体調等に応じたＡＶコンテンツを通知し、又はサムネイル一覧表示することができる。
【０１０５】
今回開示された実施の形態はすべての点で例示であって、制限的なものではないと考えられるべきである。本発明の範囲は、上記した意味ではなく、特許請求の範囲によって示され、特許請求の範囲と均等の意味及び範囲内でのすべての変更が含まれることが意図される。
【符号の説明】
【０１０６】
１  携帯通信機
２  ＡＶネットワーク
２ａ  ＬＡＮケーブル
３  推奨コンテンツ情報提供装置
４  ウェブサーバ
２１  ＡＶ機器
２１ａ  テレビ
２１ｂ  録画機器
２１ｃ  ＮＡＳ
Ｎ  通信網
【図１】
2017060062.tif 000003
【図２】
2017060062.tif 000004
【図３】
2017060062.tif 000005
【図４】
2017060062.tif 000006
【図５】
2017060062.tif 000007
【図６】
2017060062.tif 000008
【図７】
2017060062.tif 000009
【図８】
2017060062.tif 000010
【図９】
2017060062.tif 000011
【図１０】
2017060062.tif 000012
【図１１】
2017060062.tif 000013
【図１２】
2017060062.tif 000014
【図１３】
2017060062.tif 000015
【図１４】
2017060062.tif 000016
【図１５Ａ】
2017060062.tif 000017
【図１５Ｂ】
2017060062.tif 000018
【図１５Ｃ】
2017060062.tif 000019
【図１６】
2017060062.tif 000020
【図１７】
2017060062.tif 000021
【図１８】
2017060062.tif 000022
【図１９】
2017060062.tif 000023
【図２０】
2017060062.tif 000024